(57)【特許請求の範囲】
【請求項１】
下記（１）に示す軽質接触分解ガソリン基材Ａを無鉛ガソリンの全容量に対して５容量％〜４０容量％と、下記（２）に示す重質接触改質ガソリン基材Ｂを無鉛ガソリンの全容量に対して１０容量％〜４５容量％と、を配合し、かつ、下記（３）〜（１４）を満たす無鉛ガソリン。
（１）軽質接触分解ガソリン基材Ａ：  １０容量％留出温度が３０℃〜４５℃、５０容量％留出温度が３５℃〜５０℃、９０容量％留出温度が５５℃〜７５℃、終点が８０℃〜１００℃、１５℃における密度が０．６５０ｇ／ｃｍ３〜０．６７０ｇ／ｃｍ３、オレフィン分が軽質接触分解ガソリン基材Ａの全容量に対して４０容量％〜５５容量％、かつ炭素数７以上の炭化水素分が軽質接触分解ガソリン基材Ａの全容量に対して１０容量％以下である、軽質接触分解ガソリン基材。
（２）重質接触改質ガソリン基材Ｂ：  下記の基材ｂ１と下記の基材ｂ２と、を含み、基材ｂ１及び基材ｂ２の配合比率（ｂ１：ｂ２）が容量基準で９５：５〜５：９５の範囲である、重質接触改質ガソリン基材。
基材ｂ１は、１０容量％留出温度が９５℃〜１１５℃、５０容量％留出温度が１００℃〜１２０℃、９０容量％留出温度が１０５℃〜１２５℃、終点が１１０℃〜１３０℃、１５℃における密度が０．８４０ｇ／ｃｍ３〜０．８６０ｇ／ｃｍ３、炭素数７の芳香族分が基材ｂ１の全容量に対して７０容量％〜８５容量％、炭素数８の芳香族分が基材ｂ１の全容量に対して１０容量％以下、かつ炭素数９の芳香族分が基材ｂ１の全容量に対して５容量％以下の重質接触改質ガソリン基材であり、基材ｂ２は、１０容量％留出温度が１５５〜１６５℃、５０容量％留出温度が１６０℃〜１７０℃、９０容量％留出温度が１６５℃〜１７５℃、終点が１７５〜１９０℃、１５℃における密度が０．８６０ｇ／ｃｍ３〜０．８８０ｇ／ｃｍ３、かつ炭素数９の芳香族分が基材ｂ２の全容量に対して９０容量％以上の重質接触改質ガソリン基材である。
（３）リサーチ法オクタン価が９３以上９８未満
（４）モーター法オクタン価が８１以上８７未満
（５）１５℃における密度が０．７１０ｇ／ｃｍ３〜０．７８３ｇ／ｃｍ３
（６）５０容量％留出温度が７５℃〜１１０℃
（７）７０℃留出量が無鉛ガソリンの全容量に対して１８容量％〜４５容量％
（８）リード蒸気圧が４５ｋＰａ〜９３ｋＰａ
（９）ベンゼンの含有量が１容量％以下
（１０）硫黄分が１０質量ｐｐｍ以下
（１１）オレフィン分が無鉛ガソリンの全容量に対して１０容量％〜３０容量％
（１２）芳香族分が無鉛ガソリンの全容量に対して１５容量％〜４５容量％
（１３）炭素数７の芳香族分が無鉛ガソリン中の芳香族分の全容量に対して２６容量％以下
（１４）炭素数８の芳香族分が無鉛ガソリン中の芳香族分の全容量に対して５容量％以下
【請求項２】
さらに、含酸素基材を、無鉛ガソリンの全容量に対して１容量％〜１５容量％を含む請求項１に記載の無鉛ガソリン。
【発明の詳細な説明】
【技術分野】
【０００１】
本発明は無鉛ガソリンに関する。
【背景技術】
【０００２】
ガソリンは、各種の燃料規格を満たすように、複数の基材を適切に選定し、これら基材を適切な量で配合して構成されている。燃料規格の一つであるオクタン価は、運転性を確保するという観点から重要な因子である。オクタン価を調整する基材としては、一般に、異性化ガソリン、分解ガソリン、接触改質ガソリン、接触分解ガソリン、含酸素化合物などの基材が用いられている。
これらの基材の内、接触改質ガソリンは、密度が高く、高オクタン価成分である芳香族化合物を豊富に含む高オクタン価基材である。特に、接触改質ガソリンを分留することにより得られる重質接触改質ガソリンは芳香族分の含有率が高い。
【０００３】
重質接触改質ガソリンには、ミックスキシレンが含まれている。ミックスキシレンとは、ｏ−キシレン、ｍ−キシレン、ｐ−キシレン、及びエチルベンゼンを含有する留分である。ミックスキシレンは、重質接触改質ガソリンから蒸留よって得ることができ、例えば石油化学製品の原料として利用されている。
【０００４】
そこで、重質接触改質ガソリンに対する脱ミックスキシレン処理により石油化学製品の原料向けのミックスキシレンの製造を行い、一方で、この脱ミックスキシレン処理により得られる重質接触改質ガソリンを活用した、ガソリン向けの基材の開発が望まれている。
【０００５】
例えば、特許文献１には、ガソリン向けに使用される基材及び石油化学製品の原料を製造する技術に関して、原油の常圧蒸留により得られるナフサ留分と重質炭化水素を水素化精製して得られる精製ナフサ留分との混合留分を原料とし、これを接触改質することを特徴とする接触改質ガソリンの製造方法が開示されている。この製造方法によれば、接触改質ガソリン留分を増産できるとともに、ベンゼン、トルエン及びキシレンをはじめとする炭素数が６〜８の芳香族炭化水素を増産できるとされている。
【０００６】
一方、環境保全の観点から、二酸化炭素排出量の抑制のために、エタノールなどのバイオマス由来の含酸素基材の使用も検討されている。これらの含酸素基材を燃料に用いた場合、大気中から二酸化炭素を吸収してできた植物を原料としていることから、燃焼させても、大気中への二酸化炭素排出は少ないとみなされている（例えば、非特許文献１参照）。
【先行技術文献】
【特許文献】
【０００７】
【特許文献１】特開２００８−２９７４７１号公報
【非特許文献】
【０００８】
【非特許文献１】ＡＮＴＯＮＩＯ  Ｆ．ＬＯＰＥＺ  他３名、Ｌａｔｉｎ  Ａｍｅｒｉｃａｎ  Ｒｅｓｅａｒｃｈ、１９９０年、２０、ｐ．１８３−１８７
【発明の概要】
【発明が解決しようとする課題】
【０００９】
しかしながら、重質接触改質ガソリンから脱キシレン処理によりミックスキシレンを抜き出した場合、高オクタン価に寄与する成分であるミックスキシレンの含有量が低下するため、処理後の重質接触改質ガソリンのオクタン価が低下する。このような、オクタン価の低い重質接触改質ガソリンを基材として用いて、最終製品であるガソリンのオクタン価を確保するためには、重質接触改質ガソリンの配合量を従来よりも増やすという手段が考えられる。しかし、重質接触改質ガソリンの配合量を増加した場合、最終製品であるガソリンにおける重質接触改質ガソリンが占める割合が高くなり重質化する。ガソリンが重質化した場合、そのようなガソリンの使用は、自動車エンジンの始動性を低下するとともに、点火プラグのくすぶりを引き起こす可能性がある。
【００１０】
点火プラグのくすぶりとは、ガソリンの不完全燃焼によって生成したカーボン状物質が、点火プラグの硝子絶縁体に堆積することにより、漏洩電流が増加して火花が飛ばなくなる、いわゆる失火を引き起こす現象を指す。
これにより、点火プラグのくすぶりの現象が生じた場合、内燃機関（エンジン）は始動不能になるか、現象が軽い場合でも、排気中の未燃焼の炭化水素の増加、加速性等の運転性能の悪化などの問題を引き起こす傾向にある。
点火プラグのくすぶりは、特にガソリン中の芳香族分が多いほど起こり易いことが知られている。
【００１１】
したがって、脱キシレン処理後の重質接触改質ガソリンを基材として従来以上の配合量では配合することなく、所望のオクタン価を有し、かつ、内燃機関の始動性、車両の加速性、点火プラグのくすぶり抑制などの各種の性能を備えたガソリンが望まれる。
【００１２】
さらに、エタノール等の含酸素基材を配合したガソリンは、燃焼させても大気中への二酸化炭素排出は少ないとみなされることは既述の通りであるが、含酸素基材のガソリンへの配合は、蒸留性状の著しい軽質化をきたし、ひいては自動車の運転性能への悪影響が懸念される。
このため、含酸素基材を配合した場合であっても、所望のオクタン価を有し、かつ、内燃機関の始動性、車両の加速性、点火プラグのくすぶり抑制などの性能を備えたガソリンも望まれる。
【００１３】
本発明は、上記のような状況に鑑みなされたものであり、脱キシレン処理後の重質接触改質ガソリンを基材として配合してもオクタン価が維持され、かつ、内燃機関の始動性、車両の加速性、及び点火プラグのくすぶり抑制に優れた無鉛ガソリンを提供することを課題とする。
【課題を解決するための手段】
【００１４】
本発明者らは、上記課題を達成すべく鋭意研究を重ねた結果、ガソリンに配合する基材として、特定の組成及び性状を有する軽質接触分解ガソリンと、特定の組成及び性状を有する脱キシレン処理により得られた重質接触改質ガソリンとを、特定量で配合することで、上記課題が解決できることを見出し、本発明を完成するに至った。
【００１５】
すなわち、上記課題を解決するための手段には、以下の実施態様が含まれる。
＜１＞  下記（１）に示す軽質接触分解ガソリン基材Ａを無鉛ガソリンの全容量に対して５容量％〜４０容量％と、下記（２）に示す重質接触改質ガソリン基材Ｂを無鉛ガソリンの全容量に対して１０容量％〜４５容量％と、を配合し、かつ、下記（３）〜（１４）を満たす無鉛ガソリン。
【００１６】
（１）軽質接触分解ガソリン基材Ａ：  １０容量％留出温度が３０℃〜４５℃、５０容量％留出温度が３５℃〜５０℃、９０容量％留出温度が５５℃〜７５℃、終点が８０℃〜１００℃、１５℃における密度が０．６５０ｇ／ｃｍ３〜０．６７０ｇ／ｃｍ３、オレフィン分が軽質接触分解ガソリン基材Ａの全容量に対して４０容量％〜５５容量％、かつ炭素数７以上の炭化水素分が軽質接触分解ガソリン基材Ａの全容量に対して１０容量％以下である、軽質接触分解ガソリン基材。
【００１７】
（２）重質接触改質ガソリン基材Ｂ：  下記の基材ｂ１と下記の基材ｂ２と、を含み、基材ｂ１及び基材ｂ２の配合比率（ｂ１：ｂ２）が容量基準で９５：５〜５：９５の範囲である、重質接触改質ガソリン基材。
基材ｂ１は、１０容量％留出温度が９５℃〜１１５℃、５０容量％留出温度が１００℃〜１２０℃、９０容量％留出温度が１０５℃〜１２５℃、終点が１１０℃〜１３０℃、１５℃における密度が０．８４０ｇ／ｃｍ３〜０．８６０ｇ／ｃｍ３、炭素数７の芳香族分が基材ｂ１の全容量に対して７０容量％〜８５容量％、炭素数８の芳香族分が基材ｂ１の全容量に対して１０容量％以下、かつ炭素数９の芳香族分が基材ｂ１の全容量に対して５容量％以下の重質接触改質ガソリン基材であり、基材ｂ２は、１０容量％留出温度が１５５〜１６５℃、５０容量％留出温度が１６０℃〜１７０℃、９０容量％留出温度が１６５℃〜１７５℃、終点が１７５℃〜１９０℃、１５℃における密度が０．８６０g/ｃｍ３〜０．８８０ｇ／ｃｍ３、かつ炭素数９の芳香族分が基材ｂ２の全容量に対して９０容量％以上の重質接触改質ガソリン基材である。
【００１８】
（３）リサーチ法オクタン価が９３以上９８未満である。
（４）モーター法オクタン価が８１以上８７未満である。
（５）１５℃における密度が０．７１０ｇ／ｃｍ３〜０．７８３ｇ／ｃｍ３である。
（６）５０容量％留出温度が７５℃〜１１０℃である。
（７）７０℃留出量が無鉛ガソリンの全容量に対して１８容量％〜４５容量％である。
（８）リード蒸気圧が４５ｋＰａ〜９３ｋＰａである。
（９）ベンゼンの含有量が１容量％以下である。
（１０）硫黄分が１０質量ｐｐｍ以下である。
（１１）オレフィン分が無鉛ガソリンの全容量に対して１０容量％〜３０容量％である。
（１２）芳香族分が無鉛ガソリンの全容量に対して１５容量％〜４５容量％である。
（１３）炭素数７の芳香族分が無鉛ガソリン中の芳香族分の全容量に対して２６容量％以下である。
（１４）炭素数８の芳香族分が無鉛ガソリン中の芳香族分の全容量に対して５容量％以下である。
【００１９】
＜２＞  さらに、含酸素基材を、無鉛ガソリンの全容量に対して１容量％〜１５容量％を含む＜１＞に記載の無鉛ガソリン。
【発明の効果】
【００２０】
本発明によれば、脱キシレン処理後の重質接触改質ガソリンを基材として配合してもオクタン価が維持され、かつ、内燃機関の始動性、車両の加速性、及び点火プラグのくすぶり抑制に優れた無鉛ガソリンを提供することができる。
【発明を実施するための形態】
【００２１】
以下、本発明を実施するための形態について詳細に説明する。
なお、本明細書中、数値範囲を現す「〜」は、その上限及び下限としてそれぞれ記載されている数値を含む範囲を表す。また、「〜」で表される数値範囲において上限値のみ単位が記載されている場合は、下限値も同じ単位であることを意味する。
本明細書においてガソリン中の各成分の比率又は量は、ガソリン中に各成分に該当する物質が複数種存在する場合、特に断らない限り、ガソリン中に存在する当該複数種の物質の合計の比率又は量を意味する。
本明細書において、ガソリンの「芳香族分」は、ベンゼン以外の単環又は多環の芳香族炭化水素を包含し、これらは構造中にヘテロ原子を有するものであってもよい。
【００２２】
《無鉛ガソリン》
本発明の無鉛ガソリンは、少なくとも、下記（１）を示す軽質接触分解ガソリン基材Ａ（以下、単に「軽質接触分解ガソリン基材Ａ」ともいう。）を無鉛ガソリンの全容量に対して５容量％〜４０容量％と、下記（２）に示す重質接触改質ガソリン基材Ｂ（以下、単に「重質接触改質ガソリン基材Ｂ」ともいう。）を無鉛ガソリンの全容量に対して１０容量％〜４５容量％と、を配合する。
【００２３】
本発明の無鉛ガソリンは、上記の構成を有することにより、脱キシレン処理後の重質接触改質ガソリンを基材として配合してもオクタン価が維持され、かつ、内燃機関の始動性、車両の加速性、及び点火プラグのくすぶり抑制に優れる。
さらに、本発明の無鉛ガソリンは、含酸素基材を配合した場合においても、オクタン価が維持され、かつ、内燃機関の始動性、車両の加速性、及び点火プラグのくすぶり抑制に優れことから、自動車の走行に必要とされる実用性能を維持しつつも、大気環境の保全を図ることが期待できる。
【００２４】
（１）軽質接触分解ガソリン基材Ａ：  １０容量％留出温度が３０℃〜４５℃、５０容量％留出温度が３５℃〜５０℃、９０容量％留出温度が５５℃〜７５℃、終点が８０℃〜１００℃、１５℃における密度が０．６５０ｇ／ｃｍ３〜０．６７０ｇ／ｃｍ３、オレフィン分が軽質接触分解ガソリン基材Ａの全容量に対して４０容量％〜５５容量％、かつ炭素数７以上の炭化水素分が軽質接触分解ガソリン基材Ａの全容量に対して１０容量％以下である、軽質接触分解ガソリン基材である。
【００２５】
（２）重質接触改質ガソリン基材Ｂは、下記の基材ｂ１と下記の基材ｂ２と、を含み、基材ｂ１及び基材ｂ２の配合比率（ｂ１：ｂ２）が容量基準で９５：５〜５：９５の範囲である、重質接触改質ガソリン基材である。
基材ｂ１は、１０容量％留出温度が９５℃〜１１５℃、５０容量％留出温度が１００℃〜１２０℃、９０容量％留出温度が１０５℃〜１２５℃、終点が１１０℃〜１３０℃、１５℃における密度が０．８４０ｇ／ｃｍ３〜０．８６０ｇ／ｃｍ３、炭素数７の芳香族分が基材ｂ１の全容量に対して７０容量％〜８５容量％、炭素数８の芳香族分が基材ｂ１の全容量に対して１０容量％以下、かつ炭素数９の芳香族分が基材ｂ１の全容量に対して５容量％以下の重質接触改質ガソリン基材であり、基材ｂ２は、１０容量％留出温度が１５５〜１６５℃、５０容量％留出温度が１６０℃〜１７０℃、９０容量％留出温度が１６５℃〜１７５℃、終点が１７５〜１９０℃、１５℃における密度が０．８６０ｇ／ｃｍ３〜０．８８０ｇ／ｃｍ３、かつ炭素数９の芳香族分が基材ｂ２の全容量に対して９０容量％以上の重質接触改質ガソリン基材である。
【００２６】
軽質接触分解ガソリン基材Ａは、流動接触分解装置から留出する軽質接触分解ガソリンからなる基材であり、重質接触改質ガソリン基材Ｂは、接触改質装置から留出する接触改質ガソリンからなる基材である。本発明の無鉛ガソリンは、これらの軽質接触分解ガソリン基材Ａ及び重質接触改質ガソリン基材Ｂを必須基材として配合する。
以下、本発明の無鉛ガソリンについて詳細に説明する。
【００２７】
本発明の無鉛ガソリンは、流動接触分解装置から留出する軽質接触分解ガソリン基材Ａ、及び接触改質装置から留出する重質接触改質ガソリン基材Ｂを含むことが好ましい。以下、本発明の無鉛ガソリンに含まれる各成分について、以下に説明する。
【００２８】
＜軽質接触分解ガソリン基材Ａ＞
軽質接触分解ガソリン基材Ａは、流動接触分解装置から留出する軽質接触分解ガソリンからなる基材であり、上記の（１）に示す特定の組成及び性状を有する。
【００２９】
軽質接触分解ガソリンは、灯油又は軽油、常圧残油等の石油留分（好ましくは重質軽油又は減圧軽油）を、流動接触分解法により、固体酸触媒で分解して得られた接触分解ガソリンを、蒸留して得られるものが挙げられる。
【００３０】
流動接触分解法は、重質な炭化水素から接触分解ガソリンを製造する方法であり、公知公用の方法を用いることができる。流動接触分解法としては、例えば、ＵＯＰ法、シェル二段式法、フレキシクラッキング法、ウルトラオルソフロー法、テキサコ法、ガルフ法、ウルトラキャットクラッキング法、ＲＣＣ法、ＨＯＣ法等が挙げられる。
【００３１】
流動接触分解法とは、詳しくは、流動している触媒と炭化水素油とを高温で接触させて、ガソリン、中間留分等を得るプロセスである。流動接触分解法は、例えば、ＨＹＤＲＯＣＡＲＢＯＮ  ＰＲＯＣＥＳＳＩＮＧ／ＮＯＶＥＭＢＥＲ  ２０００の１０７〜１１０ページに記載のＦＣＣ（Ｆｌｕｉｄ  Ｃａｔａｌｙｔｉｃ  Ｃｒａｃｋｉｎｇ）プロセスを参照することができる。
【００３２】
軽質接触分解ガソリンは、上記のＦＣＣプロセスを用い、ガソリンの沸点以上で沸騰する炭化水素油（炭化水素混合物）を、ゼオライト、シリカアルミナ、アルミナなどの固体酸触媒（いわゆる、固体酸性を示す触媒）と高温で接触させて得てもよい。
【００３３】
商業的規模でのＦＣＣプロセスは、通常、垂直に据え付けられたクラッキング反応器と触媒再生器との２種の容器からなるＦＣＣ装置内部において、ＦＣＣ触媒（固体酸触媒）を連続的に循環させて、接触分解を行う。すなわち、触媒再生器から出てくる熱い再生触媒を、炭化水素油と混合し、クラッキング反応器内の上向の方向に導く。その結果、固体酸触媒は、触媒上に析出した炭素（コーク）によって失活し、分解生成物から分離され、さらに、ストリッピング後、触媒再生器に送り込まれ、再生される。再生された触媒は、再びクラッキング反応器に供給され、使用される。
一方、分解生成物は、ドライガス、液化石油ガス（ＬＰＧ）、ガソリン留分、ライトサイクルオイル（ＬＣＯ）、ヘビーサイクルオイル（ＨＣＯ）及びスラリー油等の、１種以上の重質留分に蒸留分離する。これらの分解生成物は、一部又は全部をクラッキング反応器内に再循環させて、更に、分解反応を進めてもよい。
【００３４】
本発明のガソリンにおいては、ＦＣＣプロセスより分解された生成物から分離された留分のうち、ガソリン留分を蒸留して得られる軽質ガソリン留分を軽質接触分解ガソリンとして用いてもよい。
【００３５】
軽質接触分解ガソリン基材Ａを得るために使用する原料である重質な炭化水素（以下、「原料炭化水素」ともいう。）としては、ガソリンの沸点以上で沸騰する炭化水素混合物が挙げられる。
本明細書において、ガソリンの沸点以上で沸騰する炭化水素混合物には、原油を常圧又は減圧蒸留で得られる軽油留分、常圧蒸留残渣油及び減圧蒸留残渣油等を意味し、コーカー軽油、溶剤脱瀝油、溶剤脱瀝アスファルト、タールサンド油、シェールオイル油、石炭液化油などをも包含される。
更に、原料炭化水素は、公知の水素化処理、例えば、Ｎｉ−Ｍｏ系触媒、Ｃｏ−Ｍｏ系触媒、Ｎｉ−Ｃｏ−Ｍｏ系触媒、Ｎｉ−Ｗ系触媒などの水素化処理触媒の存在下、高温高圧下で水素化脱硫した水素化処理油であってもよく、水素化処理油は、原料炭化水素油としてＦＣＣプロセスに使用してもよい。
【００３６】
ＦＣＣプロセスに用いられるＦＣＣ装置において、クラッキング反応器の運転条件としては、温度が４００℃〜６００℃、好ましくは４５０℃〜５５０℃であり、圧力が常圧〜５ｋｇ／ｃｍ３、好ましくは常圧〜３ｋｇ／ｃｍ３であり、触媒と原料炭化水素油との配合比（触媒/原料炭化水素油）が、質量基準で、２〜２０、好ましくは４〜１５であることが好適である。
【００３７】
クラッキング反応器の反応温度が４００℃以上であると、原料炭化水素油の分解反応の進行を促進させて、分解された生成物の得られる量が向上する傾向がある。また、反応温度が６００℃以下であると、適量のオレフィン分を得られる傾向があり、所望のオクタン価を確保することが可能となる。
圧力が５ｋｇ／ｃｍ３以下であると、分解反応によりモル数の増加を抑制することが可能となり、分解反応の進行が低下を防ぐことが可能となる。また、触媒と原料炭化水素油との配合比（触媒/原料炭化水素油）が２以上であると、クラッキング反応器内の触媒濃度が低くなりすぎず、原料油分解の進行が低下を防ぐことが可能となる。また、配合比が２０以下であると、触媒の効果を効果的に発揮させること可能となる。
【００３８】
軽質接触分解ガソリン基材Ａの蒸留性状は、１０容量％留出温度（Ｔ１０）が３０℃〜４５℃、５０容量％留出温度（Ｔ５０）は３５℃〜５０℃、９０容量％留出温度（Ｔ９０）は５５℃〜７５℃、終点（ＥＰ）は８０℃〜１００℃である。
軽質接触分解ガソリン基材Ａの１０容量％留出温度、５０容量％留出温度、９０容量％留出温度、及び終点が上記範囲にあると、軽質接触分解ガソリン基材Ａのオクタン価を高く維持することが可能となり、高オクタン価を有する無鉛ガソリンを効率よく製造することが可能となる。さらに、軽質接触分解ガソリン基材Ａを用いて製造した本発明の無鉛ガソリンは、運転性能及びエンジン清浄性に優れる傾向がある。
上記観点から、軽質接触分解ガソリン基材Ａは、好ましくは１０容量％留出温度が３３℃〜４４℃であり、５０容量％留出温度が３８℃〜５０℃、９０容量％留出温度が５８℃〜７３℃、終点が８５℃〜１００℃であり、より好ましくは１０容量％留出温度が３５℃〜４３℃、５０容量％留出温度が４０℃〜５０℃、９０容量％留出温度が６０℃〜７０℃、終点が９０℃〜１００℃である。
なお、上記蒸留性状は、ＪＩＳ  Ｋ  ２２５４（１９９８）に準拠して測定した値を意味する。
【００３９】
軽質接触分解ガソリン基材Ａのリサーチ法オクタン価は、９２以上が好ましく、より好ましくは９３以上、更に好ましくは９４以上である。
リサーチ法オクタン価が９２以上であると、重質接触改質ガソリン基材Ｂの配合量を抑えることができるので、規格を満たす製品ガソリンの調製が容易となる。
なお、このリサーチ法オクタン価は、ＪＩＳ  Ｋ  ２２８０−１（２０１３）に準拠して測定した値である。
【００４０】
軽質接触分解ガソリン基材Ａの１５℃における密度は、０．６５０ｇ／ｃｍ３〜０．６７０ｇ／ｃｍ３である。
密度が上記範囲内であると、本発明の無鉛ガソリンの軽質化を抑制することが可能となる。
上記観点から、密度としては、好ましくは０．６５３ｇ／ｃｍ３〜０．６７０ｇ／ｃｍ３、より好ましくは０．６５５ｇ／ｃｍ３〜０．６７０ｇ／ｃｍ３である。
なお、上記密度は、ＪＩＳ  Ｋ  ２２４９（２０１１）に準拠して測定した値を意味する。
【００４１】
軽質接触分解ガソリン基材Ａのオレフィン分は、軽質接触分解ガソリン基材Ａの全容量に対して、４０容量％〜５５容量％であり、好ましくは４０容量％〜５３容量％、より好ましくは４０容量％〜５０容量％である。
軽質接触分解ガソリン基材Ａのオレフィン分が上記範囲内であると、軽質接触分解ガソリン基材Ａのオクタン価を高いレベルで維持することが可能となる。
なお、オレフィン分とは、石油学会法ＪＰＩ−５Ｓ−３３−９０（ガスクロマトグラフ法）に準拠して測定され、軽質接触分解ガソリン基材Ａが含むオレフィン分の合計（容量％）を意味する。
【００４２】
軽質接触分解ガソリン基材Ａにおける炭素数７以上の炭化水素分は、軽質接触分解ガソリン基材Ａの全容量に対して、１０容量％以下である。
炭素数７以上の炭化水素分の含有量が１０容量％以下であるとオクタン価が向上する傾向がある。上記観点から、炭素数７以上の炭化水素分としては、好ましくは９容量％以下、より好ましくは８容量％以下である。
【００４３】
また、軽質接触分解ガソリン基材Ａにおいて、炭素数５の炭化水素分としては、軽質接触分解ガソリン基材Ａの全容量に対して、６８容量％以下が好ましく、６５容量％以下がより好ましい。下限は、好ましくは６３容量％である。
また、軽質接触分解ガソリン基材Ａにおける炭素数６の炭化水素分は、軽質接触分解ガソリン基材Ａの全容量に対して、４５容量％以下が好ましく、より好ましくは４３容量％以下であり、下限は好ましくは４０容量％である。
軽質接触分解ガソリン基材Ａは、オクタン価を維持する観点から、炭素数５の炭化水素分が６８容量％以下、炭素数６の炭化水素分が４５容量％以下、炭素数７以上の炭化水素分が１０容量％以下であることが特に好ましい。
なお、各炭素数の炭化水素分の含有量は、石油学会法ＪＰＩ−５Ｓ−３３−９０（ガスクロマトグラフ法）に準拠して測定した値を意味する。
【００４４】
＜重質接触改質ガソリン基材Ｂ＞
重質接触改質ガソリン基材Ｂは、接触改質装置から留出する重質接触改質ガソリンからなる基材であり、後述の基材ｂ１と基材ｂ２とを含み、かつ既述の（２）に示す特定の組成及び性状を有する。
重質接触改質ガソリン基材Ｂは、後述の重質接触改質ガソリ基材ｂ１と、重質接触改質ガソリン基材ｂ２と、を含む。
【００４５】
重質接触改質ガソリンは、接触改質装置から得られた接触改質油に公知の脱ベンゼン処理を行ったときに留出する重質接触改質油留分に対して、更に公知の脱キシレン処理を行ったときに留出する留分である。接触改質装置の好適な運転条件については後述する。
【００４６】
基材ｂ１は、脱キシレン処理を行ったときに留出する留分のうち、炭素数７の芳香族分が主成分である留分であり、基材ｂ２は、炭素数９の芳香族分が主成分である留分であり、これらの基材ｂ１及び基材ｂ２を所定のガソリンで混合したものが重質接触改質ガソリン基材Ｂである。
【００４７】
基材ｂ１を構成する炭素数７の芳香族分が主成分である留分、及び、基材ｂ２を構成する炭素数９の芳香族分が主成分である留分は、例えば、接触改質油を、蒸留法により軽質接触改質油留分と粗ベンゼン留分と重質接触改質油留分とに分留し、さらに、得られた重質接触改質油留分を、蒸留法又は抽出法といった手法により、炭素数７の芳香族分とキシレン留分と炭素数９の芳香族留分とに分留して得ることができる。
【００４８】
重質接触改質ガソリンは、重質の直留ナフサなどを接触改質法（例えば、プラットフォーミング法、マグナフォーミング法、アロマイジング法、レニフォーミング法、フードリフォーミング法、ウルトラフォーミング法、パワーフォーミング法等）により、水蒸気流中で高温及び加圧下で触媒と接触処理することで得ることができる。接触改質反応に使用される触媒としては、種々のものを用いることができ、白金／アルミナ系触媒（例えば、白金の含有率が０．２質量％〜０．８質量％）などを好ましく用いることができる。白金／アルミナ系触媒には、更に、レニウム、ゲルマニウム、すず、イリジウム等が含まれていてもよい。
【００４９】
接触改質装置としては、特に制限はなく、固定床半再生式、サイクリック式、連続再生式等いずれの方法を適用した装置であってもよい。
【００５０】
接触改質装置が固定床半再生式の場合、接触改質装置の運転条件としては、反応温度：４７０℃〜５４０℃、反応圧力：１ＭＰａ〜３．５ＭＰａ、水素油比：７６ＮＬ／Ｌ〜３０００ＮＬ／Ｌ、ＬＨＳＶ（Liquid Hourly Space Velocity；液空間速度）：１ｈ−１〜４ｈ−１であることが好ましい。
反応温度が４７０℃以上であると、得られる接触改質処理油のオクタン価が向上する傾向がある。反応温度が５４０℃以下であると、水素化分解が進行して液収率が低下を抑制し、かつ、コークの生成による触媒活性の低下を抑制する傾向がある。反応圧力が１ＭＰａ以上であると、コークの生成を抑制することが可能となる。反応圧力が３．５ＭＰａであると、脱水素環化反応が抑制せずに、オクタン価の高い接触改質処理油を得ることが可能となる。
【００５１】
接触改質装置が連続再生式の場合、接触改質装置の運転条件としては、反応温度：５１０℃〜５３０℃、反応圧力：０．３５ＭＰａ〜１ＭＰａ、水素油比：１４０ＮＬ／Ｌ〜５３０ＮＬ／Ｌ、ＬＨＳＶ：１ｈ−１〜４ｈ−１であることが好ましい。
反応温度が５１０℃以上であると、得られる接触改質処理油のオクタン価を向上させることが可能となる。また、反応温度が、５３０℃以下であると、水素化分解が進行して液収率が低下を抑制し、かつ、コークの生成による触媒活性の低下を抑制する傾向がある。
反応圧力が０．３５ＭＰａ以上であると、コークの生成を抑制することが可能となる。反応圧力が１ＭＰａ以下であると、脱水素環化反応が抑制されずにオクタン価の高い接触改質処理油を得ることが可能となる。
【００５２】
重質接触改質ガソリン基材Ｂが含む基材ｂ１及び基材ｂ２について以下に説明する。
【００５３】
（基材ｂ１）
基材ｂ１の蒸留性状は、１０容量％留出温度（Ｔ１０）が９５℃〜１１５℃、５０容量％留出温度（Ｔ５０）が１００℃〜１２０℃、９０容量％留出温度（Ｔ９０）が１０５℃〜１２５℃、終点（ＥＰ）が１１０℃〜１３０℃である。
基材ｂ１の１０容量％留出温度、５０容量％留出温度、９０容量％留出温度、及び終点が、上記範囲内であると、運転性を維持しつつ、排出ガス中の有害成分の増加及びエンジン清浄性の悪化を防止することが可能となる。
上記の観点から、基材ｂ１は、好ましくは、１０容量％留出温度が８５℃〜１２５℃、５０容量％留出温度が９０℃〜１３０℃、９０容量％留出温度が９５℃〜１３５℃であり、より好ましくは、１０容量％留出温度が９５℃〜１０５℃、５０容量％留出温度が１００℃〜１１０℃、９０容量％留出温度が１０５℃〜１１５℃である。
なお、上記の蒸留性状はＪＩＳ  Ｋ  ２２５４（１９９８）に準拠して測定した値である。
【００５４】
重質接触改質ガソリン基材ｂ１において、リサーチ法オクタン価は１０３以上であることが好ましい。リサーチ法オクタン価が１０３以上であると、後述の重質接触改質ガソリンＢの配合量を抑えることが可能となり、規格を満たす製品ガソリンの調整が容易となる。
上記観点から、重質接触改質ガソリン基材ｂ１のリサーチ法オクタン価としては、好ましくは１０４以上、より好ましくは１０５以上である。
なお、リサーチ法オクタン価は、ＪＩＳ  Ｋ  ２２８０−１（２０１３）に準拠して測定した値を意味する。
【００５５】
重質接触改質ガソリン基材ｂ１の１５℃における密度は０．８４０ｇ／ｃｍ３〜０．８６０ｇ／ｃｍ３である。密度が、上記範囲であると、本発明の無鉛ガソリンの軽質化及び蒸留性状の変化を抑制することが可能となる。
上記観点から、密度としては、好ましくは０．８４０ｇ／ｃｍ３〜０．８５０ｇ／ｃｍ３、より好ましくは０．８４０ｇ／ｃｍ３〜０．８４５ｇ／ｃｍ３である。
なお、この密度は、ＪＩＳ  Ｋ  ２２４９−４（２０１１）に準拠して測定した値を意味する。
【００５６】
基材ｂ１において、炭素数７の芳香族分は、基材ｂ１の全容量に対して、７０容量％〜８５容量％であり、炭素数８の芳香族分は１０容量％以下であり、かつ、炭素数９の芳香族分が５容量％以下である。
基材ｂ１において、炭素数７の芳香族分、炭素数８の芳香族分及び炭素数９の芳香族分が、上記範囲内であると、運転性能を維持しつつ、くすぶり性の悪化を防止し、エンジン内デポジット量の増加を防ぎ、かつ、排出ガス中の有害成分の増加を抑制することが可能となる。
上記観点から、炭素数７の芳香族分は、基材ｂ１の全容量に対して、好ましくは７５容量％〜８５容量％、より好ましくは８０容量％〜８５容量％以下であり、炭素数８の芳香族分が、好ましく５容量％以下、より好ましくは３容量％以下であり、かつ炭素数９の芳香族分が、好ましくは４容量％以下、より好ましくは３容量％以下である。
なお、各炭素数の芳香族分はＪＩＳ  Ｋ  ２５３６−２（２００３）に準拠して測定した値を意味する。
【００５７】
（基材ｂ２）
基材ｂ２の蒸留性状は、１０容量％留出温度（Ｔ１０）が１５５℃〜１６５℃、５０容量％留出温度（Ｔ５０）が１６０℃〜１７０℃、９０容量％留出温度（Ｔ９０）が１６５℃〜１７５℃、終点（ＥＰ）が１７５℃〜１９０℃である。
１０容量％留出温度、５０容量％留出温度、９０容量％留出温度及び終点が上記範囲内であると、重質接触改質ガソリン基材Ｂの重質化を防止することが可能となる。そのため、内燃機関の始動性、車両の加速性などの運転性能を維持しつつ、排出ガス中の有害成分の増加及びエンジン清浄性の悪化を防止することが可能となる。
上記観点から、基材ｂ２の蒸留性状としては、１０容量％留出温度が１５７℃〜１６５℃、５０容量％留出温度が１６０℃〜１６８℃、９０容量％留出温度が１６５℃〜１７３℃、終点が１８０℃〜１９０℃であることが好ましく、１０容量％留出温度が１６０℃〜１６５℃、５０容量％留出温度が１６２℃〜１６５℃、９０容量％留出温度が１６５℃〜１７０℃、終点が１８３℃〜１８８℃であることがより好ましい。
なお、上記蒸留性状はＪＩＳ  Ｋ  ２２５４（１９９８）に準拠して測定した値である。
【００５８】
基材ｂ２の１５℃における密度は、０．８６０ｇ／ｃｍ３〜０．８８０ｇ／ｃｍ３である。
基材ｂ２の密度が上記範囲であると、本発明の無鉛ガソリンの軽質化及び蒸留性状の輪歪化を抑制することが可能となる。
上記観点から、密度としては、好ましくは０．８６５ｇ／ｃｍ３〜０．８８０ｇ／ｃｍ３、より好ましくは０．８７０ｇ／ｃｍ３〜０．８８０ｇ／ｃｍ３である。
なお、この密度は、石油学会法ＪＰＩ−５Ｓ−３３−９０（ガスクロマトグラフ法）に準拠して測定した値を意味する。
【００５９】
基材ｂ２において、炭素数９の芳香族分は、基材ｂ２の全容量に対して、９０容量％以上である。
炭素数９の芳香族分が、上記範囲内であると、運転性能を維持しつつ、くすぶり性の悪化を防止し、エンジン内デポジット（堆積物）量の増加を防ぎ、かつ、排出ガス中の有害成分の増加を抑制することが可能となる。
上記観点から、炭素数９の芳香族分は、好ましくは９１容量％以上、より好ましくは９４容量％以上である。
なお、各炭素数の芳香族分は石油学会法ＪＰＩ−５Ｓ−３３−９０（ガスクロマトグラフ法）に準拠して測定した値を意味する。
【００６０】
＜ガソリン基材の配合量及び配合比率＞
本発明の無鉛ガソリンにおいて、軽質接触分解ガソリン基材Ａの含有量は、無鉛ガソリンの全容量に対して５容量％〜４０容量％であり、好ましくは１０容量％〜４０容量％、より好ましくは１３容量％〜４０容量％である。
重質接触改質ガソリン基材Ｂの含有量は、無鉛ガソリンの全容量に対して、５容量％〜４５容量％であり、好ましくは２０〜５３容量％、より好ましくは２３〜５２容量％である。
重質接触改質ガソリン基材Ｂにおける基材ｂ１と基材ｂ２との配合比率（ｂ１：ｂ２）は、容量基準で、９５：５〜５：９５であり、好ましくは９０：１０〜１０：９０、より好ましくは８０：２０〜１０：９０である。
【００６１】
本発明の無鉛ガソリンは、軽質接触分解ガソリン基材Ａ及び重質接触改質ガソリン基材Ｂの配合量及び配合比率が上記範囲内であることで、運転性能を維持しつつ、排出ガス中の有害成分の増加及びエンジン清浄性の悪化を防止することが可能となる。また、無鉛ガソリンの酸化安定性の低下を防ぐことが可能となる。
【００６２】
＜含酸素基材＞
本発明の無鉛ガソリンは、軽質接触分解ガソリン基材Ａ及び重質接触改質ガソリン基材Ｂに加えて、さらに、含酸素基材を含んでいてもよい。本発明の無鉛ガソリンが、含酸素基材を含む場合、本発明の無鉛ガソリンのオクタン価を更に向上させることが可能となる。
【００６３】
含酸素基材として適用される含酸素化合物としては、例えば、メタノール、エタノール等のアルコール、アルコールからの誘導体であるエーテル又はエステルが挙げられる。
二酸化炭素排出量の削減、及び環境保全の観点から、含酸素化合物としては、バイオマス由来のアルコール、アルコールからの誘導体であるエーテル又はエステルであることが好ましい。
【００６４】
含酸素化合物としては、炭素数２〜５のアルコール、炭素数４〜８のエーテル、又は炭素数４〜８のエステルであることが好ましく、炭素数２〜５のアルコール又は炭素数４〜８のエーテルであることがより好ましく、炭素数４〜８のエーテルであることが更に好ましい。
【００６５】
炭素数２〜５のアルコールとしては、エタノール、プロピルアルコール、ブチルアルコールが挙げられる。
また、アルコール類からの誘導体であるエーテル類及びエステル類としては、炭素数４〜８のエーテルとしては、エチルイソプロピルエーテル、エチルターシャリーブチルエーテル（ＥＴＢＥ）、エチルセカンダリーブチルエーテル（ＥＳＢＥ）、ジイソプロピルエーテル、ターシャリーアミルエチルエーテル（ＴＡＥＥ）が挙げられる。
【００６６】
また、炭素数４〜８のエステルとしては、酢酸エチル、プロピオン酸エチル等が挙げられる。
【００６７】
これらの中でも、二酸化炭素排出量の削減、及び環境保全の観点から、含酸素化合物としては、エチルターシャリーブチルエーテル（ＥＴＢＥ）であることが好ましい。
【００６８】
本発明の無鉛ガソリンが、含酸素化合物を含む場合、含酸素化合物の配合量としては、無鉛ガソリンの全容量に対して、１容量％〜１５容量％であることが好ましい。含酸素化合物の配合量が上記範囲内であると、発熱量の低下による燃費への悪影響の懸念が少なく、排出ガス中の一酸化炭素（ＣＯ）、全炭化水素（ＴＨＣ）等の低減などを図ることが可能となる。
上記観点としては、含酸素化合物の配合量としては、好ましくは３容量％〜１３容量％、より好ましくは５容量％〜１２容量％である。
【００６９】
本発明の無鉛ガソリンは、軽質接触分解ガソリン基材Ａ、重質接触改質ガソリン基材Ｂ及び含酸素基材以外の基材（以下、「その他の基材」ともいう。）を含んでいてもよい。その他の基材としては、例えば以下の（ａ）〜（ｄ）の成分等が挙げられる。
【００７０】
（ａ）原油を常圧蒸留した直留ナフサを脱硫処理して得られた脱硫直留ナフサを蒸留により、軽質留分と重質留分に分けたうちの軽質留分である脱硫軽質ナフサ
（ｂ）イソブタンと低級オレフィン（ブテン、プロピレン等）を原料として、酸触媒（硫酸、フッ化水素、塩化アルミニウム等）の存在下で反応させて得られるアルキレート
（ｃ）原油や粗油等の常圧蒸留時、改質ガソリン製造時又は分解ガソリン製造時等に蒸留して得られるブタン、ブテン類を主成分としたＣ４留分
（ｄ）直鎖の低級パラフィン系炭化水素の異性化によって得られるアイソメレート又はアイソメレートを精密蒸留して得られるイソペンタン
【００７１】
本発明の無鉛ガソリンは、ポリエーテルアミン、ポリアルキルアミン、ポリイソブテンアミン、コハク酸イミド等の清浄剤を含んでいてもよい。
本発明の無鉛ガソリンが清浄剤を含む場合、清浄剤の添加量は、無鉛ガソリンの全質量に対して、５０質量ｐｐｍ〜１０００質量ｐｐｍの範囲であることが好ましい。
清浄剤の添加量が５０質量ｐｐｍ以上であると、吸気バルブデポジットの増加を防ぐことが可能となる。また、添加量が１０００質量ｐｐｍ以下であると、燃焼室デポジットの増加を防ぐことが可能となる。本発明の無鉛ガソリンが清浄剤を上記範囲で含む場合、重質接触改質ガソリンＢの適用によりエンジン内デポジットの生成を抑制する効果と相まって、燃焼室デポジットの生成をより効果的に抑制することが可能となる。
上記観点から、清浄剤の添加量としては、好ましくは１００質量ｐｐｍ〜５００質量ｐｐｍである。
【００７２】
本発明の無鉛ガソリンは、更に必要に応じて、各種の添加剤を適宜配合してもよい。
添加剤としては、フェノール系、アミン系等の酸化防止剤、チオアミド化合物等の金属不活性剤、有機リン系化合物等の表面着火防止剤、多価アルコール及びそのエーテル等の氷結防止剤、有機酸のアルカリ金属やアルカリ土類金属塩、高級アルコールの硫酸エステル等の助燃剤、アニオン系界面活性剤、カチオン系界面活性剤、両性界面活性剤等の帯電防止剤、アルケニルコハク酸エステル等の錆止め剤、及びアゾ染料等の着色剤など、公知の燃料添加剤が挙げられる。
添加剤は、１種単独又は２種以上を組み合わせて用いることができる。
上記燃料添加剤の添加量としては、任意であり、通常、燃料添加剤の合計添加量は、無鉛ガソリンの全質量に対して、０．１質量％以下とすることが好ましい。
【００７３】
本発明の無鉛ガソリンの製造方法としては、特に制限はなく、公知の方法により調製することができる。本発明の無鉛ガソリンの製造方法としては、例えば、特定軽質接触分解ガソリンを無鉛ガソリンの全容量に対して５容量％〜４０容量％と、重質接触改質ガソリンＣを無鉛ガソリンの全容量に対して１０容量％〜４５容量％と、を含有するように配合して、後述の（３）〜（１４）を満たすように調製すればよい。
【００７４】
＜無鉛ガソリンの性状＞
本発明の無鉛ガソリンは、既述のとおり、（１）に示す軽質接触改質ガソリン基材Ａを無鉛ガソリンの全容量に対して５容量％〜４０容量％と、（２）に示す重質接触改質ガソリン基材Ｂを無鉛ガソリンの全容量に対して１０容量％〜４５容量％と、を配合し、かつ（３）〜（１４）を満たすものである。
以下、無鉛ガソリンの性状における各性状について説明する。
【００７５】
（３）リサーチ法オクタン価（ＲＯＮ）
本発明の無鉛ガソリンは、リサーチ法オクタン価（ＲＯＮ）が９３以上９８未満である。リサーチ法オクタン価が９３以上であると、ノッキングを抑制して高い運転性能を維持することが可能となる。
上記観点から、リサーチ法オクタン価としては、好ましくは９４〜９８である。
リサーチ法オクタン価は、ＪＩＳ  Ｋ  ２２８０−１（２０１３）に準拠して測定した値を意味する。
【００７６】
（４）モーター法オクタン価（ＭＯＮ）
本発明の無鉛ガソリンは、モーター法オクタン価（ＭＯＮ）が８１以上８７未満である。
モーター法オクタン価が８１以上であると、高速走行時のアンチノック性の低下を防止することが可能となる。
上記観点から、モーター法オクタン価としては、好ましくは８１．５以上８７未満である。
モーター法オクタン価は、ＪＩＳ  Ｋ  ２２８０−２（２０１３）に準拠して測定した値を意味する。
【００７７】
（５）密度
本発明の無鉛ガソリンは、１５℃における密度が０．７１０ｇ／ｃｍ３〜０．７８３ｇ／ｃｍ３である。
密度が０．７１０ｇ／ｃｍ３以上であると、良好な燃費を確保することが可能となる。また、密度を０．７８３ｇ／ｃｍ３以下であると、高密度の芳香族分を低減する傾向があり、排出ガスによる大気への芳香族化合物の排出量を低減することが可能となる。
上記観点から、密度としては、好ましくは０．７１０ｇ／ｃｍ３〜０．７７０ｇ／ｃｍ３である。
なお、上記密度は、ＪＩＳ  Ｋ  ２２４９−４（２０１１）に準拠して測定した値である。
【００７８】
（６）５０容量％留出温度及び（７）７０℃留出量
本発明の無鉛ガソリンは、５０容量％留出温度（Ｔ５０）が７５℃〜１１０℃である。
また、本発明の無鉛ガソリンは、７０℃留出量（Ｅ７０）が、無鉛ガソリンの全容量に対して、１８容量％〜４５容量％である。
５０容量％留出温度及び７０℃留出量が上記範囲内であると、始動性、加速性等の運転性能に関する不具合を防ぐ傾向がある。
上記観点から、５０容量％留出温度としては、好ましくは７５℃〜１０５℃である。
また、同様の観点から、７０℃留出量（Ｅ７０）としては、好ましくは２０容量％〜４５容量％である。
なお、５０容量％留出温度及び７０℃留出量はＪＩＳ  Ｋ  ２２５４（１９９８）に準拠して測定した値である。
【００７９】
（８）リード蒸気圧（ＲＶＰ）
本発明の無鉛ガソリンは、リード蒸気圧（ＲＶＰ）が、４５ｋＰａ〜９３ｋＰａである。
リード蒸気圧が４５ｋＰａ以上であると、低温始動性及び暖気性の低下を防ぐことが可能となる。また、リード蒸気圧が、９３ｋＰａ以下であると、蒸発ガスの量を少なくすることが可能となる。
上記観点から、リード蒸気圧としては、好ましくは５０ｋＰａ〜９０ｋＰａである。
なお、このリード蒸気圧は、ＪＩＳ  Ｋ  ２２５８−１（２００９）に準拠して測定した値を意味する。
【００８０】
（９）ベンゼンの含有量
本発明の無鉛ガソリンは、ベンゼンの含有量が、無鉛ガソリンの全容量に対して、１容量％以下である。ベンゼンの含有量が１容量％以下であると、大気中のベンゼン濃度の増加を抑制する傾向があり、環境汚染を低減することが可能となる。
上記観点から、ベンゼンの含有量としては、好ましくは０．８容量％以下である。
なお、ベンゼンの含有量は、石油学会法ＪＰＩ−５Ｓ−３３−９０（ガスクロマトグラフ法）に準拠して測定される、無鉛ガソリン中のベンゼンの含有量の合計（容量％）を意味する。
【００８１】
（１０）硫黄分
本発明の無鉛ガソリンは、硫黄分が、無鉛ガソリンの全質量に対して１０質量ｐｐｍ以下である。
硫黄分が１０質量ｐｐｍ以下であると、排出ガス浄化触媒の能力低下を抑制する傾向があり、排出ガス中の窒素酸化物（ＮＯｘ）、一酸化炭素（ＣＯ）及び全炭化水素（ＴＨＣ）の濃度上昇を抑制することが可能となる。
上記観点から、硫黄分としては、好ましくは８質量ｐｐｍ以下である。
なお、上記硫黄分はＪＩＳ  Ｋ  ２５４１−６（２００３）「原油及び石油製品−硫黄分試験方法  第６部：紫外蛍光法」に準拠して測定される、無鉛ガソリン中の硫黄分の合計（容量％）を意味する。
【００８２】
（１１）オレフィン分
本発明の無鉛ガソリンは、オレフィン分が、無鉛ガソリンの全容量に対して、１０容量％〜３０容量％である。
オレフィン分が１０容量％〜３０容量％であると、酸化安定性の低下を防ぐことが可能となる。上記観点から、オレフィン分としては、好ましくは１２容量％〜２８容量％である。
なお、オレフィン分とは、石油学会法ＪＰＩ−５Ｓ−３３−９０（ガスクロマトグラフ法）に準拠して測定される、無鉛ガソリン中のオレフィン分の合計（容量％）を意味する。
【００８３】
（１２）芳香族分
本発明の無鉛ガソリンは、芳香族分が、無鉛ガソリンの全容量に対して、１５容量％〜４５容量％である。芳香族分が４５容量％以下であると、排出ガス中に含まれる有害成分の増加を防ぐことが可能となる。
上記観点から、芳香族分は、好ましくは２０〜４５容量％である。
なお、芳香族分とは、石油学会法ＪＰＩ−５Ｓ−３３−９０（ガスクロマトグラフ法）に準拠して測定される、無鉛ガソリン中の芳香族分の合計（容量％）を意味する。
【００８４】
（１３）炭素数７の芳香族分
本発明の無鉛ガソリンにおいて、炭素数７の芳香族分は、無鉛ガソリン中の芳香族分の全容量に対して、２６容量％以下である。炭素数７の芳香族分が２６容量％以下であると、ミックスキシレンの増産が可能となる。
上記観点から、炭素数７の芳香族分としては、好ましくは２４容量％である。
なお、この炭素数７の芳香族分は、石油学会法ＪＰＩ−５Ｓ−３３−９０（ガスクロマトグラフ法）に準拠して測定される、無鉛ガソリン中の炭素数７の芳香族分の合計（容量％）を意味する。
【００８５】
（１４）炭素数８の芳香族分
本発明の無鉛ガソリンにおいて、炭素数８の芳香族分は、無鉛ガソリン中の芳香族分の全容量に対して、５容量％以下である。炭素数８の芳香族分が５容量％以下であると、ミックスキシレンの増産が可能となる。
上記観点から、炭素数８の芳香族分としては、好ましくは４容量％である。
なお、この炭素数８の芳香族分は、石油学会法ＪＰＩ−５Ｓ−３３−９０（ガスクロマトグラフ法）に準拠して測定される、無鉛ガソリン中の炭素数８の芳香族分の合計（容量％）を意味する。
【実施例】
【００８６】
以下、本発明を実施例によって、さらに具体的に説明するが、本発明はこれらの実施例に制限するものではない。
【００８７】
（実施例１〜実施例１２、比較例１〜比較例１０）
表１に示す性状の重質接触改質ガソリン基材（ｂ１及びｂ２）、軽質接触分解ガソリン基材（Ａ１、Ａ２及びＣ）、及びその他の基材（アルキレート、脱硫接触分解ガソリン、脱硫軽質ナフサ、Ｃ４留分）を用い、表３及び表４に示す性状の無鉛ガソリンを得た。
【００８８】
表３及び表４に示す重質接触改質ガソリン基材Ｂ１〜Ｂ５は、表１に示す重質接触改質ガソリン基材ｂ１及びｂ２を、表２に示す配合比率で配合した混合基材であり、既述の重質接触改質ガソリン基材Ｂに包含される重質接触改質ガソリン基材である。
重質接触改質ガソリン基材ｂ１及びｂ２は、それぞれ既述の基材ｂ１及び基材ｂ２に包含される基材である。
軽質接触分解ガソリン基材Ａ１及びＡ２は、いずれも既述の重質接触改質ガソリン基材Ａに包含される基材である。
軽質接触分解ガソリン基材Ｃは、既述の軽質接触分解ガソリン基材Ａの範囲外の基材である。
【００８９】
なお、重質接触改質ガソリン基材、軽質接触分解ガソリン基材、アルキレート、脱硫接触分解ガソリン、脱硫軽質ナフサ、Ｃ４留分及び無鉛ガソリンの性状は、上述の試験方法、測定法に準拠して測定した。
なお、表１、表３及び表４中の「−」は、該当の成分を含まないことを示す。
【００９０】
【表１】
0006709751.tif 000002
【００９１】
表１中、オレフィン分及び芳香族分の割合（容量％）は、いずれも、ガソリン基材の全容量を基準とする。
Ｃ５炭化水素分、Ｃ６炭化水素分、及びＣ７以上の炭化水素分の割合（容量％）は、いずれも、ガソリン基材の全容量を基準とする。
Ｃ６芳香族分、Ｃ７芳香族分、Ｃ８芳香族分、Ｃ９芳香族分、Ｃ１０芳香族分、Ｃ１１芳香族分、Ｃ１２芳香族分、及びＣ１３以上芳香族分の割合（容量％）は、いずれも、ガソリン基材の全容量を基準とする。
【００９２】
【表２】
0006709751.tif 000003
【００９３】
【表３】
0006709751.tif 000004
【００９４】
【表４】
0006709751.tif 000005
【００９５】
表４における略号は以下の通りである。
・ＥＴＢＥ：エチルターシャリーブチルエーテル（含酸素基材）
【００９６】
表３及び表４中、オレフィン分及び芳香族分の割合（容量％）は、いずれも、ガソリンの全容量を基準とする。
ベンゼン含有量、Ｃ７芳香族分、Ｃ８芳香族分、及びＣ９以上芳香族分の割合（容量％）は、いずれも、ガソリン基材の全容量を基準とする。
【００９７】
[評価]
実施例１〜１２及び比較例１〜１０で調製した無鉛ガソリンを用いて、以下の評価を行った。結果を表５及び表６に示す。
【００９８】
＜始動性＞
始動性の評価は、排気量２Ｌ、直接噴射方式（ＤＩ）、オートマチックトランスミッション（ＡＴ）の車両を用い、試験温度２０℃、湿度５０％の条件で行った。
車両を始動させ、クランキング開始から完爆までの時間（即ち、エンジンが自力で回転が続けられるようになるまでの時間（始動時間））を測定した。
始動時間が２．００秒以内である場合は、加速性に優れると評価する。
【００９９】
＜加速性（運転性能）＞
加速性の評価は、排気量２Ｌ、直接噴射（ＤＩ）方式、オートマチックトランスミッション（ＡＴ）の車両を用い、試験温度２０℃、湿度５０％の条件で行った。
車両のエンジン始動後、１０秒間アイドリングを行い、アクセル開度５０％で車速が４０ｋｍ/ｈに到達するまでの時間を測定した。
加速時間が４．２０秒以内である場合は、加速性に優れると評価する。
【０１００】
＜点火プラグのくすぶり性＞
点火プラグのくすぶり抑制の評価は、以下の方法で行った。排気量２Ｌ、マルチポイントインジェクション（ＭＰＩ）方式、オートマチックトランスミッション（ＡＴ）の車両を用い、−１０℃の試験温度条件で、下記に示す１サイクル約３０分の評価試験を行った後、点火プラグの絶縁抵抗値を絶縁抵抗計（型番：ＤＭ−１５２６、三和電気計器（株）製）を用いて測定した。
エンジンを始動し、１０ｋｍ/ｈ〜２０ｋｍ/ｈの加減速を１０回繰り返した後、エンジンを切り、２８分間冷却する。
点火プラグの絶縁抵抗値の変動は、点火プラグの汚損度の指標となる。
点火プラグの絶縁抵抗値が１００ＭΩ以下に達したときに、プラグのくすぶりが発生したと判定する。評価試験は、プラグのくすぶりが発生したと判定されるまで繰返して行い、プラグのくすぶりが発生したと判定されるまでの試験回数（サイクル数）によって、プラグのくすぶり性を評価した。
サイクル数が１３回以上の場合を点火プラグのくすぶり抑制に優れると判断する。
【０１０１】
【表５】
0006709751.tif 000006
【０１０２】
【表６】
0006709751.tif 000007
【０１０３】
実施例１〜１２の無鉛ガソリンは、内燃機関の始動性及び車両の加速性並びに点火プラグのくすぶり抑制の双方において、良好な結果を示した。一方、基材の配合又は燃料性状において、本発明に係る構成要素を一つでも満たさない比較例１〜１０の無鉛ガソリンでは、内燃機関の始動性及び車両の加速性並びに点火プラグのくすぶり抑制をすべて満足する結果が得られなかった。
また、実施例７〜１２の無鉛ガソリンは、含酸素化合物であるＥＴＢＥを含んでいる場合であっても、内燃機関の始動性及び車両の加速性並びに点火プラグのくすぶり抑制に優れていた。
【０１０４】
以上の結果から、本発明の無鉛ガソリンは、オクタン価を維持し、内燃機関の始動性及び車両の加速性並びに点火プラグのくすぶり抑制に優れることが分かる。加えて、含酸素基材を含む本発明の無鉛ガソリンは、大気環境の保全に寄与することが可能である。